(57)【要約】【課題】表示および撮像画像の画質を維持しつつ表示装置前のデッドスペースを削減する。【解決手段】映像を表示する表示装置と、前記表示装置の表示画面と使用者との間に配置されるハーフミラーと、前記ハーフミラーで反射された前記使用者の反射像を撮像する撮像装置とを具備する表示撮像装置であって、前記表示装置の表示画面と前記ハーフミラーとのなす角が４５度未満であり、前記撮像装置で前記表示装置の表示画面が撮影されるのを防止する表示画像遮断手段、および、周囲の風景が前記ハーフミラーに映り前記使用者に見えるのを防止する映り込み防止手段の少なくとも１方を具備する。【選択図】図１
2010166292.tif 000002
【特許請求の範囲】
【請求項１】
表示装置に映像を表示し、
前記表示装置の表示画面と使用者との間にハーフミラーを配置し、
前記ハーフミラーで反射された前記使用者の反射像を撮像装置で撮像する表示撮像方法であって、
前記撮像装置で前記表示装置の表示画面が撮影されるのを防止する表示画像遮断手段、および、周囲の風景が前記ハーフミラーに映り前記使用者に見えるのを防止する映り込み防止手段の少なくとも１方を設け、
前記表示装置の表示画面と前記ハーフミラーとのなす角を４５度未満とすることを特徴とする表示撮像方法。
【請求項２】
映像を表示する表示装置と、
前記表示装置の表示画面と使用者との間に配置されるハーフミラーと、
前記ハーフミラーで反射された前記使用者の反射像を撮像する撮像装置とを具備する表示撮像装置であって、
前記表示装置の表示画面と前記ハーフミラーとのなす角が４５度未満であり、
前記撮像装置で前記表示装置の表示画面が撮影されるのを防止する表示画像遮断手段、および、周囲の風景が前記ハーフミラーに映り前記使用者に見えるのを防止する映り込み防止手段の少なくとも１方を具備することを特徴とする表示撮像装置。
【請求項３】
前記ハーフミラーで反射した光を、さらに１回以上反射し前記撮像装置に入射する鏡または反射型偏光板を具備することを特徴とする請求項２に記載の表示撮像装置。
【請求項４】
前記ハーフミラーは、特定の偏光を反射する反射型偏光体であることを特徴とする請求項２に記載の表示撮像装置。
【請求項５】
前記表示画像遮断手段は、前記表示装置と前記ハーフミラーとの間に配置される第１の偏光板と、
前記ハーフミラーと前記撮像装置との間に配置され、前記第１の偏光板を透過した偏光を遮断する第２の偏光板であることを特徴とする請求項２ないし請求項４のいずれか１項に記載の表示撮像装置。
【請求項６】
前記第１の偏光板に代えて、前記表示装置を偏光表示装置で構成し、
前記第２の偏光板は、前記変更表示装置を透過した偏光を遮断することを特徴とする請求項５に記載の表示撮像装置。
【請求項７】
前記表示画像遮断手段は、前記表示装置と前記ハーフミラーとの間に配置される視野制限体であることを特徴とする請求項２ないし請求項４のいずれか１項に記載の表示撮像装置。
【請求項８】
前記映り込み防止手段は、前記ハーフミラーと前記使用者との間に配置される円偏光板であることを特徴とする請求項２ないし請求項４のいずれか１項に記載の表示撮像装置。
【請求項９】
前記映り込み防止手段は、前記ハーフミラーと前記使用者との間に配置される視野制限体であることを特徴とする請求項２ないし請求項４のいずれか１項に記載の表示撮像装置。
【請求項１０】
表示撮像装置を互いに接続して構成される遠隔対話装置であって、
前記表示撮像装置は、請求項２ないし請求項９のいずれか１項に記載の表示撮像装置であることを特徴とする遠隔対話装置。
【発明の詳細な説明】
【技術分野】
【０００１】
本発明は、表示撮像方法、表示撮像装置および遠隔対話装置に係り、特に、表示および撮像画像の画質を維持しつつ、表示装置前のデッドスペースを削減する際に有効な技術に関する。
【背景技術】
【０００２】
図６は、従来の表示撮像装置の概略構成を示す図である。
図６において、１００は使用者、１１０は表示装置、１１１はハーフミラー、１２０は撮像装置（カメラ）である。
従来の表示撮像装置においては、使用者１００は、ハーフミラー１１１を介して、表示装置１１０を観察できると同時に、ハーフミラー１１１の反射を利用して使用者１００の顔映像を正面から撮像できる。
しかし、ハーフミラー１１１が、４５度の角度で設置されているために、表示装置１１０と使用者１００との間のハーフミラー１１１が設置されている空間がデッドスペースとなってしまうという問題点があった。
【０００３】
なお、本願発明に関連する先行技術文献としては以下のものがある。
【先行技術文献】
【特許文献】
【０００４】
【特許文献１】特開平４−１４５７８９号公報
【特許文献２】特開平４−１６７６９０号公報
【発明の概要】
【発明が解決しようとする課題】
【０００５】
そこで、図７に示すように、前述の特許文献１では、液晶パネル１の背面にハーフミラー３を設置する手法が考案されたが、液晶パネル１の透過率が低く、さらに、液晶パネル１の画素構造による回折ボケが発生し画像がぼけるという問題があり、高画質の映像が撮像できなかった。なお、図７において、Ｍは使用者、２は第１の偏光板、４は第２の偏光板、５はバックライト、６は撮像装置である。
また図８に示すように、前述の特許文献２では、表示装置１の表画面に微小な穴７をあけて、穴７から撮像装置６で撮像する手法も考案されたが、穴７による回折を抑制できるほど穴７の直径を大きくすると、表示画像の欠陥が看過できなくなるという問題点があった。
本発明は、前記従来技術の問題点を解決するためになされたものであり、本発明の目的は、表示撮像方法、表示撮像装置および遠隔対話装置において、表示および撮像画像の画質を維持しつつ表示装置前のデッドスペースを削減することにある。
本発明の前記ならびにその他の目的と新規な特徴は、本明細書の記述及び添付図面によって明らかにする。
【課題を解決するための手段】
【０００６】
本願において開示される発明のうち、代表的なものの概要を簡単に説明すれば、下記の通りである。
本発明は、映像を表示する表示装置と、前記表示装置の表示画面と使用者との間に配置されるハーフミラーと、前記ハーフミラーで反射された前記使用者の反射像を撮像する撮像装置とを具備する表示撮像装置であって、本発明では、表示装置の表示画面とハーフミラーとのなす角を４５度未満としてデッドスペースを削減する。ただし、それだけでは使用者の周囲の空間が映りこんだり、表示装置の表示画像が撮像装置で撮像されるので、それらの防止手段を具備する。両方の防止手段を具備することが望ましいが、一方の光が弱くおおむね無視できる場合には、一方の防止手段だけでよい。
また、本発明では、ハーフミラーで反射された反射光を鏡で折り返すことにより、カメラの設置場所によるデッドスペースの削減を行っている。奇数回反射すれば、映像の左右反転も光学的に防げる。
また、本発明では、鏡を反射型偏光板とすることにより、鏡が表示画面にかぶっても鏡を介して画面を見られるので、表示画像への影響をおさえることができる。
また、本発明では、ハーフミラーを、特定の偏光を反射する反射型偏光体で構成することにより、表示装置の表示画像が撮像装置で撮像されることを防止している。
また、本発明では、表示装置とハーフミラーとの間に視野制限体を配置し、表示装置の斜め方向の表示光を除去し、表示装置の表示画像が撮像されることを防止している。
また、本発明では、ハーフミラーと使用者との間に円偏光板を配置し、ハーフミラーでの反射光を遮断することにより、周囲が映りこむことを防止している。
また、本発明では、ハーフミラーと使用者との間に視野制限体を配置し、斜め方向の周囲光がハーフミラーに達し映りこむことを防止している。
また、本発明の遠隔対話装置の発明は、複数の前述の表示撮像装置を互いに接続することにより、互いに正面を向き合った臨場感の高い遠隔対話を実現している。
【発明の効果】
【０００７】
本願において開示される発明のうち代表的なものによって得られる効果を簡単に説明すれば、下記の通りである。
本発明によれば、表示装置を見ている人を正面から撮影でき、使用者の前面の作業空間を充分に確保できる。また、表示撮像装置を複数用いて遠隔対話装置とすることにより、各地点では、他地点にいる相手の画像があたかも真正面にいるように感じられるため、自然な対話が可能となる。
【図面の簡単な説明】
【０００８】
【図１】本発明の実施例１の撮像表示装置の概略構成を示す図である。
【図２】本発明の実施例１の撮像表示装置の変形例の概略構成を示す図である。
【図３】本発明の実施例２の撮像表示装置の概略構成を示す図である。
【図４】本発明の実施例３の撮像表示装置の概略構成を示す図である。
【図５】本発明の各実施例の表示撮像装置を複数用いた遠隔対話装置の概略構成を示す図である。
【図６】従来の表示撮像装置の概略構成を示す図である。
【図７】従来の表示撮像装置の他の例の概略構成を示す図である。
【図８】従来の表示撮像装置の他の例の概略構成を示す図である。
【発明を実施するための形態】
【０００９】
以下、図面を参照して本発明の実施例を詳細に説明する。
なお、実施例を説明するための全図において、同一機能を有するものは同一符号を付け、その繰り返しの説明は省略する。
［実施例１］
図１は、本発明の実施例１の撮像表示装置の概略構成を示す図である。
表示装置１１０と使用者１００である人との間に、ハーフミラー１１１が、ハーフミラー１１１と表示装置１１０とのなす角度が約３０度という４５度以下の角度で設置されている。表示装置１１０として偏光で表示する液晶ディスプレイを使用し、撮像装置（カメラ）１２０とハーフミラー１１１の間に、表示装置１１０の表示光を遮断可能な偏光板１１３を具備することにより表示画面遮断手段を実現している。なお、偏光で表示する液晶ディスプレイに代えて、表示装置とハーフミラーとの間に偏光板（偏光板１１３で遮断される偏向を透過する偏光板）を設けてもよい。
図１では、ハーフミラー１１１と撮像装置１２０との間の光線をミラー１１２で反射することにより、撮像装置１２０が使用者の側に飛び出すことを防ぐと同時に、撮影画像が鏡像となる左右が反転することを防止している。このように、ミラー１１２で１回反射する構成において、ミラー１１２が表示装置１１０にかぶらず全体の厚さを最少にするにはハーフミラー１１１の角度を約３３度にするとよい。
【００１０】
ハーフミラー１１１としては、ガラス板に誘電体多層膜による半透鏡を形成し、裏面にゴースト像を防止するためのＡＲコートを施した。材質は樹脂でも良いが、副屈折の少ないものを使用すると表示画面の遮断効果が高い。もちろん、フィルム状のハーフミラー１１１でもよい。
また、ハーフミラー１１１として、表示光の偏光を透過し直交する偏光を反射する反射型偏光板１１２−１あるいは偏光ビームスプリッタを設置すれば、表示光を明るくすることが可能である。この場合、偏光板１１３を省略しても表示光の遮断効果を得ることができる。
また、図２に示すように、さらにハーフミラー１１１の設置角度をさらに浅くした場合には、ミラー１１２が中央によるが、若干であれば使用者の視界にはいらない。また、ミラー１１２を表示光を透過可能な反射型偏光板１１２−１とすることで、視野に入ったとしても使用者から、表示装置１１０の表示画面が見ることができるため、更なる薄型化が可能である。反射型偏光板１１２−１としては、金属の微細な線を複数並べた、ワイヤグリッド偏光板などがある。
【００１１】
［実施例２］
図３は、本発明の実施例２の撮像表示装置の概略構成を示す図である。
表示装置１１０と使用者１００である人との間に、ハーフミラー１１１が、ハーフミラー１１１と表示装置１１０とのなす角度が約３０度という４５度以下の角度で設置されている。使用者１００はミラー１１２とハーフミラー１１１を介して正面から撮影される。表示装置１１０とハーフミラー１１１との間に、視野制限体１１４を設置する。
視野制限体１１４は、その面に垂直な光を透過して、斜め方向の光を遮断する。撮像装置１２０が表示装置１１０を撮影する方向は斜めであるため、視野制限体１１４は表示画面遮断手段として機能する。視野制限体１１４は、例えば、微小な板（ルーバー）複数ならべた構造で実現でき、マイクロルーバフィルムとも呼ばれ、３Ｍ社ライトコントロールフィルムのように市販品されている。
【００１２】
［実施例３］
図４は、本発明の実施例３の撮像表示装置の概略構成を示す図である。
表示装置１１０と使用者１００である人との間に、ハーフミラー１１１が、ハーフミラー１１１と表示装置１１０とのなす角度が約３０度という４５度以下の角度で設置されている。
図１の構成に加え、ハーフミラー１１１と使用者１００との間に映り込み防止手段１１５が設けられている。映り込み防止手段１１５としては円偏光板を用いた。円偏光板は、偏光板の片面に１／４波長フィルムを張った構造となっているが、ハーフミラー１１１側に１／４波長フィルムとなるように設置する。
使用者１００の周囲から、ハーフミラー１１１に向かう光のうち特定の偏光成分が円偏光板を透過し、右巻きあるいは左巻きの円偏光となりハーフミラー１１１へ向かう。ハーフミラー１１１で反射された光は逆巻きの円偏光となるため円偏光板で遮断される。すなわち、使用者１００から見て、使用者１００の周囲がハーフミラー１１１で反射され、映りこむ現象が遮断されることになる。
また、円偏光板の代わりに視野制限体を設置しても良い。映り込みとなる光線は視野制限体に対し斜めに入射する光である。すなわち、視野制限体は映り込み防止手段として機能する。両方の組み合わせでもよいことは言うまでもない。さらに、前述の実施例および本実施例で説明した技術要素を複数組み合わせて良いことはいうまでもない
【００１３】
図５は、前述の実施例３の表示撮像装置を複数用いた遠隔対話装置の概略構成を示す図である。前述の実施例３の表示撮像装置を２台用い、２地点にある表示装置１１０と撮像装置１２０を互いに接続することにより構成される。即ち、本実施例では、表示撮像装置２台用意し、一方の表示撮像装置の撮像装置１２０に他方の表示装置１１０を接続している。接続は映像配線だけでなく、通信網をもちいても良いのはいうまでもない。各地点では、他地点にいる相手の画像があたかも真正面にいるように感じられるため、自然な対話が可能となる。なお、本実施例において、前述の実施例１，実施例２の表示撮像装置を２台用いるようにしてもよい。
以上、本発明者によってなされた発明を、前記実施例に基づき具体的に説明したが、本
発明は、前記実施例に限定されるものではなく、その要旨を逸脱しない範囲において種々変更可能であることは勿論である。
【符号の説明】
【００１４】
１  液晶パネル
２，４，１１３  偏光板
３，１１１  ハーフミラー
５  バックライト
６，１２０  撮像装置（カメラ）
７  微小な穴
１００  使用者
１１０  表示装置
１１２  ミラー
１１２−１  反射型偏光板
１１４  視野制限体
１１５  映り込み防止手段
【図１】
2010166292.tif 000003
【図２】
2010166292.tif 000004
【図３】
2010166292.tif 000005
【図４】
2010166292.tif 000006
【図５】
2010166292.tif 000007
【図６】
2010166292.tif 000008
【図７】
2010166292.tif 000009
【図８】
2010166292.tif 000010